(57)【要約】  ホストコンピュータにデータを入力するための英数字キーボードであって、通常のキー機能に加えて、少なくとも１つの機能構成要素を備えている英数字キーボードが提供される。追加の機能構成要素には、デジタルデータコネクタ、例えばＵＳＢコネクタ又はＩＥＥＥ  １３９４コネクタを介して、ホストコンピュータから給電される。具体的な機能構成要素として、タイマー式ミュート機能を有するマイクロフォン、エコーキャンセラー、カードリーダー、無線データ受信器、非接触誘導充電器が開示されている。【選択図】  図２
2007534033.tif 000002
【特許請求の範囲】
【請求項１】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部である、英数字キーボード。
【請求項２】
前記デジタルデータコネクタが、ＵＳＢコネクタとＩＥＥＥ  １３９４コネクタとから成る群から選択される、請求項１に記載の英数字キーボード。
【請求項３】
前記内蔵の機能構成要素が、カードリーダー、無線データ受信器、音声回路、コードレス誘導充電器の一次コイル、のうちの少なくとも１つである、請求項１に記載の英数字キーボード。
【請求項４】
前記カードリーダーが、
データの伝送、データの記憶、マルチメディアファイルの再生、マルチメディアデータの伝送、マルチメディアデータの記憶、のうちの少なくとも１つを目的として、前記ホストコンピュータと連携して使用する不揮発性メモリデバイス用である、請求項３に記載の英数字キーボード。
【請求項５】
前記不揮発性メモリデバイスが、Ｆｌａｓｈメモリカード、Ｓｅｃｕｒｅ  Ｄｉｇｉｔａｌメモリカード、ＭｕｌｔｉＭｅｄｉａカード、Ｃｏｍｐａｃｔ  Ｆｌａｓｈカード、Ｍｅｍｏｒｙ  Ｓｔｉｃｋ、Ｍｅｍｏｒｙ  Ｓｔｉｃｋ  Ｐｒｏ、Ｍｉｃｒｏｄｒｉｖｅ、ＳｍａｒｔＭｅｄｉａメモリカードから成る群から選択される、請求項４に記載の英数字キーボード。
【請求項６】
前記少なくとも１つの外部構成要素が、充電器の二次コイルを含んでいる無線マウスであり、前記充電器が、前記無線マウスの中の少なくとも１つの充電可能なバッテリーを非接触誘導充電によって充電する、請求項３に記載の英数字キーボード。
【請求項７】
ホストコンピュータに接続するためのデジタルデータコネクタを有する英数字キーボードであって、
周辺装置からの無線通信を受信する内蔵の無線データ受信器を有し、
前記無線データ受信器が、前記デジタルデータコネクタを使用して前記ホストコンピュータと通信することができ、且つ、前記デジタルデータコネクタを使用して前記ホストコンピュータから電力の供給を受けることができる、英数字キーボード。
【請求項８】
前記デジタルデータコネクタが、ＵＳＢとＩＥＥＥ  １３９４とから成る群から選択される、請求項７に記載の英数字キーボード。
【請求項９】
前記周辺装置が、充電器の二次コイルを含んでいる無線マウスであり、前記充電器が、前記無線マウスの中の少なくとも１つの充電可能なバッテリーを充電し、前記英数字キーボードが、前記充電器の一次コイルを含んでおり、前記一次コイルが、前記デジタルデータコネクタによって電力の供給を受けることができる、請求項７に記載の英数字キーボード。
【請求項１０】
ホストコンピュータに接続するためのデジタルデータコネクタを有する英数字キーボードであって、
内蔵カードリーダーを有し、前記カードリーダーが、前記デジタルデータコネクタを使用して前記ホストコンピュータと通信することができ、且つ、前記デジタルデータコネクタを使用して前記ホストコンピュータから電力の供給を受けることができる、英数字キーボード。
【請求項１１】
周辺装置と無線通信を行う内蔵の無線データ受信器をさらに含んでおり、前記無線データ受信器が、前記デジタルデータコネクタを使用して前記ホストコンピュータと通信することができ、且つ、前記デジタルデータコネクタを使用して前記ホストコンピュータから電力の供給を受けることができる、請求項１０に記載の英数字キーボード。
【請求項１２】
前記カードリーダーが、
データの伝送、データの記憶、マルチメディアファイルの再生、マルチメディアデータの伝送、マルチメディアデータの記憶、のうちの少なくとも１つを目的として、前記ホストコンピュータと連携して使用する不揮発性メモリデバイス用である、請求項１０に記載の英数字キーボード。
【請求項１３】
前記カードリーダーが無線周波数カードリーダーである、請求項１０に記載の英数字キーボード。
【請求項１４】
前記不揮発性メモリデバイスが、Ｆｌａｓｈメモリカード、Ｓｅｃｕｒｅ  Ｄｉｇｉｔａｌメモリカード、ＭｕｌｔｉＭｅｄｉａカード、Ｃｏｍｐａｃｔ  Ｆｌａｓｈカード、Ｍｅｍｏｒｙ  Ｓｔｉｃｋ、Ｍｉｃｒｏｄｒｉｖｅ、ＳｍａｒｔＭｅｄｉａメモリカードから成る群から選択される、請求項１２に記載の英数字キーボード。
【請求項１５】
前記デジタルデータコネクタが、ＵＳＢとＩＥＥＥ  １３９４とから成る群から選択される、請求項１０に記載の英数字キーボード。
【請求項１６】
複数の英数字キーと、自動モードにおいて動作することができる少なくとも１つの内蔵マイクロフォンとを有する英数字キーボードであって、
前記自動モードにおいては、前記複数の英数字キーの少なくとも１つが作動された時点で、前記少なくとも１つのマイクロフォンが所定の期間だけミュートされ、前記所定の期間がタイマーによって制御される、英数字キーボード。
【請求項１７】
間隔をあけて配置されている複数のマイクロフォンが前記英数字キーボードに存在している、請求項１６に記載の英数字キーボード。
【請求項１８】
前記英数字キーの前記少なくとも１つが作動される結果としてのスキャンコードを生成するキーボードドライバが設けられており、前記スキャンコードが、プロセッサが前記少なくとも１つのマイクロフォンからの音声ラインをミュートすることができるように、前記プロセッサによって検出可能であり、前記所定の期間の終了時に、前記プロセッサが、前記音声ラインの前記ミュートを無効にすることによって前記少なくとも１つのマイクロフォンを使用可能にする、請求項１６に記載の英数字キーボード。
【請求項１９】
前記所定の期間内に前記英数字キーの少なくとも１つがさらに作動される結果としてのさらなるスキャンコードを前記プロセッサが検出した時点で、前記タイマーが前記所定の期間をリセットする、請求項１８に記載の英数字キーボード。
【請求項２０】
前記少なくとも１つの内蔵のマイクロフォンが、前記英数字キーの前記少なくとも１つが作動されたことを検出して音声構成要素をミュートし、前記所定の期間の終了時に、前記ミュート機能を無効にすることによって前記少なくとも１つのマイクロフォンが使用可能になる、請求項１６に記載の英数字キーボード。
【請求項２１】
前記音声構成要素が、音声ライン、デジタル増幅器、アナログ音声構成要素、デジタル音声構成要素から成る群から選択される、請求項２０に記載の英数字キーボード。
【請求項２２】
キーが押されるときの音が望ましい音声入力として処理されることを防止するために信号の処理を遅延させることを目的とするバッファを有する、請求項２０に記載の英数字キーボード。
【請求項２３】
キーが押されるときの音が検出された時点で、前記バッファの内容がクリアされてミュートが行われる、請求項２２に記載の英数字キーボード。
【請求項２４】
前記所定の期間が１０ミリ秒〜１０秒の範囲内である、請求項１６に記載の英数字キーボード。
【請求項２５】
前記少なくとも１つのマイクロフォンが、前記所定の期間内に前記英数字キーの少なくとも１つがさらに作動されたことを検出した時点で、前記タイマーが前記所定の期間をリセットする、請求項２０に記載の英数字キーボード。
【請求項２６】
エコーキャンセラーをさらに含んでいる、請求項１６に記載の英数字キーボード。
【請求項２７】
前記少なくとも１つのマイクロフォンの動作を制御するスイッチをさらに含んでいる、請求項１６に記載の英数字キーボード。
【請求項２８】
前記スイッチが、物理的なスイッチであり、且つ、前記スイッチの動作モードを示すＬＥＤディスプレイを有する、請求項２７に記載の英数字キーボード。
【請求項２９】
ホストコンピュータに接続するためのデジタルデータコネクタをさらに含んでいる、請求項１６に記載の英数字キーボードであって、少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、前記内蔵の機能構成要素が、前記デジタルデータコネクタを使用して前記ホストコンピュータから電力の供給を受けることができる、英数字キーボード。
【請求項３０】
前記少なくとも１つの内蔵の機能構成要素が、カードリーダー、無線データ受信器、充電器の一次コイルから成る群から選択される、請求項２９に記載の英数字キーボード。
【請求項３１】
受け取った直流電力を自身に供給するためのデジタルデータコネクタを有する英数字キーボードであって、
前記受け取った直流電力を一次周波数の一次交流電力に変換するインバータと、
前記キーボードの壁のすぐ横に位置している一次コイルであり、前記一次交流電力が自身に印加されるようにされている、前記一次コイルと、
を備えており、
前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【請求項３２】
前記一次コイルが中空コアを有する、請求項３１に記載の英数字キーボード。
【請求項３３】
前記二次コイルが中空コアを有する、請求項３１に記載の英数字キーボード。
【請求項３４】
前記一次コイルが前記中空コアの中にフェライト棒を有する、請求項３２に記載の英数字キーボード。
【請求項３５】
前記一次コイルが、表面連結充電を目的として、前記壁に垂直であり、前記フェライト棒が前記壁から突き出している、請求項３４に記載の英数字キーボード。
【請求項３６】
前記一次コイルが、表面密結合充電を目的として、前記壁に平行であり、前記二次コイルが、前記一次コイルの端部の隣に位置している端部を有し、前記一次コイルと前記二次コイルとが重なっていない、請求項３１に記載の英数字キーボード。
【請求項３７】
前記一次周波数が可聴範囲より高い、請求項３１に記載の英数字キーボード。
【請求項３８】
前記一次周波数が２０ＫＨｚ〜２５ＫＨｚの範囲内である、請求項３７に記載の英数字キーボード。
【請求項３９】
前記二次電圧が、充電することができるように直流に変換される、請求項３１に記載の英数字キーボード。
【請求項４０】
前記マウスの前部を受け入れるためのサイズ及び形状を有するくぼみを側壁に有する、請求項３１に記載の英数字キーボードであって、前記くぼみが壁を有し、前記一次コイルが前記壁に隣接しており、前記二次コイルが前記マウスの前記前部の中に位置している、英数字キーボード。
【請求項４１】
前記くぼみが、前記マウスを置いておくことのできる棚を有する、請求項４０に記載の英数字キーボード。
【請求項４２】
前記英数字キーボードの前記壁が側壁であり、前記マウスがマウス壁を有し、前記マウス壁が前記側壁と接触することができ、前記二次コイルが前記マウス壁に隣接している、請求項３１に記載の英数字キーボード。
【請求項４３】
前記壁が前記英数字キーボードの上面であり、前記上面にドッキングステーションが設けられており、前記一次コイルが前記ドッキングステーションの下に位置しており、前記二次コイルが前記マウスの底面の上に位置している、請求項３１に記載の英数字キーボード。
【請求項４４】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部であり、
前記英数字キーボードが、複数の英数字キーと、自動モードにおいて動作することができる少なくとも１つの内蔵マイクロフォンとをさらに有し、前記自動モードにおいては、前記複数の英数字キーの少なくとも１つが作動された時点で、前記少なくとも１つのマイクロフォンが所定の期間だけミュートされ、前記所定の期間がタイマーによって制御される、英数字キーボード。
【請求項４５】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部であり、
前記英数字キーボードが、
前記供給された電力を一次周波数の一次交流電力に変換するインバータと、
前記キーボードの壁のすぐ横に位置している一次コイルであり、前記一次交流電力が自身に印加されるようにされている、前記一次コイルと、
をさらに備えており、前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【請求項４６】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部であり、
前記英数字キーボードが、複数の英数字キーと、自動モードにおいて動作することができる少なくとも１つの内蔵マイクロフォンとをさらに備えており、前記自動モードにおいては、前記複数の英数字キーの少なくとも１つが作動された時点で、前記少なくとも１つのマイクロフォンが所定の期間だけミュートされ、前記所定の期間がタイマーによって制御され、
前記英数字キーボードが、
前記供給された電力を一次周波数の一次交流電力に変換するインバータと、
前記キーボードの壁のすぐ横に位置している一次コイルであり、前記一次交流電力が自身に印加されるようにされている、前記一次コイルと、
をさらに備えており、前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【発明の詳細な説明】
【発明の分野】
【０００１】
本発明は、自動機能を有する少なくとも１つの内蔵マイクロフォンを有するキーボードに関し、好ましくは、周辺機能も有する英数字キーボードに関し、ただしこれに限定されない。
【定義】
【０００２】
本明細書全体を通じて、用語「英数字」は、地域又は国の文字体系、筆記体、記号など、コンピュータキーボード上のキーに存在するあらゆる記号を含むように解釈するものとする。例えば、いわゆる「欧米」キーボードは、以下の英数字キーを含んでいる。
ａ〜ｚのアルファベットキー
０〜９の数字キー
例えばＦ１〜Ｆ１２などの専用ファンクションキーと、インターネットアクセスキーなどのキーを含めたファンクションキー
命令キー、例えば、「Ｅｓｃ」、「Ｅｎｔｅｒ」、「Ｃｔｌ」、「Ｓｈｉｆｔ」、「Ｔａｂ」、「Ｃａｐｓ  Ｌｏｃｋ」、「Ｄｅｌｅｔｅ」、「Ｉｎｓｅｒｔ」、「Ｈｏｍｅ」、「Ｐａｇｅ  Ｕｐ」、「Ｐａｇｅ  Ｄｏｗｎ」、「Ｅｎｄ」、「Ｎｕｍ  Ｌｏｃｋ」
カーソル制御キー
上記すべてのキーの「シフト」機能
【発明の背景】
【０００３】
現在、コンピュータの多くの英数字キーボードは、ホストコンピュータとのデジタルデータ接続を備えている。デジタルデータ接続は、ＵＳＢ接続又はＩＥＥＥ  １３９４、或いは無線接続などその他のシステムとすることができる。多くの場合、このデータ接続は、ホストの音声機能をキーボード上の補足的な機能キーによって制御できるようにすることを目的としている。音声機能は、例えば、ボリューム制御、再生機能、その他とすることができる。デジタルデータコネクタを使用することによって、これらをキーボードから制御することができる。
【０００４】
マウスなどの周辺装置は、無線ハブを使用して無線接続によってホストに接続されていることがしばしばあるが、無線ハブは、有線デジタルデータコネクタを使用してホストに接続されている。すなわち、マウスのみが無線であっても、機能構成要素が内蔵された英数字キーボード以外のハードウェアは存在しており、それらハードウェアと同じ数のケーブルが依然としてホストに接続されている。無線ハブは電源も必要であり、これによってさらにケーブルが加わる。
【発明の概要】
【０００５】
本発明の１つの態様によると、ホストコンピュータに接続するためのデジタルデータコネクタを有する英数字キーボードであって、少なくとも１つの外部構成要素から受信されるデータを、少なくとも１つの外部構成要素と協働してデジタルタコネクタを使用してホストコンピュータに伝達することを可能にする、少なくとも１つの内蔵の機能構成要素、を有し、内蔵の機能構成要素が、デジタルデータコネクタを使用してホストコンピュータから電力の供給を受けることができ、外部構成要素が、ホストと英数字キーボードのいずれからも外部である、英数字キーボード、が提供される。
【０００６】
本発明の第２の態様によると、ホストコンピュータに接続するためのデジタルデータコネクタを有する英数字キーボードであって、周辺装置からの無線通信を受信する内蔵の無線データ受信器を有する、英数字キーボード、が提供される。無線データ受信器は、デジタルデータコネクタを使用してホストコンピュータと通信することができ、且つ、デジタルデータコネクタを使用してホストコンピュータから電力の供給を受けることができる。この第２の態様は、第１の態様に加えるか、又は第１の態様の代替とすることができる。
【０００７】
別の態様によると、ホストコンピュータに接続するためのデジタルデータコネクタを有する英数字キーボードであって、内蔵カードリーダーを有する、英数字キーボード、が提供される。カードリーダーは、デジタルデータコネクタを使用してホストコンピュータと通信することができ、且つ、デジタルデータコネクタを使用してホストコンピュータから電力の供給を受けることができる。この態様は、上述した態様に加えるか、又は上述した態様の代替とすることができる。
【０００８】
カードリーダーは、データの伝送、データの記憶、マルチメディアファイルの再生、マルチメディアデータの伝送、マルチメディアデータの記憶、又はその他を目的とする、無線周波数カードリーダー又は不揮発性メモリデバイスのリーダーのいずれか一方又は両方とすることができる。メモリデバイスとしては、Ｆｌａｓｈカード、Ｓｅｃｕｒｅ  Ｄｉｇｉｔａｌメモリカード、ＭｕｌｔｉＭｅｄｉａカード、Ｃｏｍｐａｃｔ  Ｆｌａｓｈカード、ソニー・コーポレイテッド（Ｓｏｎｙ  Ｃｏｒｐ．）のＭｅｍｏｒｙ  Ｓｔｉｃｋ、ＩＢＭ社のＭｉｃｒｏｄｒｉｖｅ、又はＳｍａｒｔＭｅｄｉａメモリカードが挙げられる。カードリーダーは、無線データ受信器に加えるか、又は無線データ受信器の代替とすることができる。
【０００９】
いずれの態様においても、デジタルデータコネクタは、ＵＳＢコネクタ又はＩＥＥＥ  １３９４コネクタとすることができる。周辺装置は、無線マウスとすることができる。
【００１０】
さらなる態様によると、複数の英数字キーと、少なくとも１つの内蔵マイクロフォンとを有する英数字キーボード、が提供される。少なくとも１つのマイクロフォンは、自動モードにおいて動作することができる。自動モードにおいては、英数字キーの１つが作動された時点で、少なくとも１つのマイクロフォンが所定の期間だけ使用不能になる。所定の期間は、タイマーによって制御することができる。このさらなる態様は、上述した態様の１つ又は複数に加えるか、又は上述した態様の１つ又は複数の代替とすることができる。
【００１１】
マイクロフォンは、キーが押されたことを検出し、音声構成要素をミュートすることができる。これに加えて、又はこれに代えて、プロセッサは、英数字キーボードのキーボードドライバによって生成されるスキャンコードを検出し、スキャンコードの受信に応答して、マイクロフォンからの音声ラインをミュートして少なくとも１つのマイクロフォンを所定の期間だけ使用不能にできるようにすることができる。所定の期間は、１０ミリ秒〜１０秒の範囲内とすることができる。所定の期間の終了時に、プロセッサは、ミュート機能を無効にすることによって少なくとも１つのマイクロフォンを再び有効にすることができる。
【００１２】
マイクロフォンがさらなるキーストロークサウンドを検出した時点、若しくは、英数字キーの少なくとも１つがさらに作動される結果としてのさらなるスキャンコードをキーボードドライバが生成した時点、又はこれらの両方が起きた時点で、タイマーが所定の期間をリセットすることができる。
【００１３】
音声構成要素は、音声ライン、デジタル増幅器、アナログ音声構成要素、デジタル音声構成要素のうちの１つとすることができる。キーが押されるときの音が望ましい音声入力として処理されることを防止するために信号の処理を遅延させる目的で、バッファを設けることもできる。キーが押されるときの音が検出された時点で、バッファの内容をクリアしてミュートを行うことができる。
【００１４】
英数字キーボードは、ノイズキャンセラー、上述した無線周波数カードリーダー、エコーキャンセラー、上述した無線データ受信器のうちの１つ以上をさらに含んでいることができる。英数字キーボードには、間隔をあけて配置されている複数のマイクロフォンを設けることができる。
【００１５】
キーボードは、少なくとも１つのマイクロフォンの動作を制御するスイッチをさらに含んでいることができる。このスイッチは、物理的なスイッチであることが好ましく、スイッチの動作モードを示すＬＥＤディスプレイを有することができる。
【００１６】
英数字キーの少なくとも１つが作動される結果としてのスキャンコードを生成するキーボードドライバを設けることができ、スキャンコードは、プロセッサが少なくとも１つのマイクロフォンから音声ラインをミュートすることができるように、プロセッサによって検出可能であり、所定の期間の終了時に、プロセッサは、音声ラインのミュートを無効にすることによって少なくとも１つのマイクロフォンを使用可能にする。プロセッサが、所定の期間内に、英数字キーの少なくとも１つがさらに作動される結果としてのさらなるスキャンコードを検出した時点で、タイマーが所定の期間をリセットする。
【００１７】
さらに好ましい態様においては、受け取った直流電力をキーボードに供給するためのデジタルデータコネクタを有する英数字キーボードであって、受け取った直流電力を調整して一次周波数の一次交流電力に変換するインバータと、キーボードの壁のすぐ横に位置している一次コイルであり、一次交流電力が自身に印加されるようにされている、一次コイルと、を備えている、英数字キーボード、が提供される。一次コイルは、無線マウスの中に位置している二次コイルが一次コイルに近づいたときに、二次コイルに渦電流を発生させることができる。これにより、二次コイルの両端に二次電圧が発生し、無線マウスの中の少なくとも１つのバッテリーを非接触誘導充電（ｃｏｎｔａｃｔｌｅｓｓ  ｉｎｄｕｃｔｉｏｎ  ｃｈａｒｇｉｎｇ）によって充電することが可能になる。この態様は、上述した態様の１つ又は複数に加えるか、又は上述した態様の１つ又は複数の代替とすることができる。
【００１８】
一次コイルと二次コイルは、それぞれ、中空コアを有することができ、一次コイルは、中空コアの中にフェライト棒を有することができる。一次コイルは、表面連結充電（ｓｕｒｆａｃｅ  ｉｎｔｅｒｌｏｃｋ  ｃｈａｒｇｉｎｇ）を目的として、壁に垂直であり、フェライト棒が壁から突き出すようにすることができ、又は、表面密結合充電（ｓｕｒｆａｃｅ  ｃｌｏｓｅ  ｃｏｕｐｌｅｄ  ｃｈａｒｇｉｎｇ）を目的として、壁に平行とすることができる。
【００１９】
一次交流電力は、可聴範囲より高い周波数（例えば２０ＫＨｚ〜２５ＫＨｚの範囲）とすることができる。
【００２０】
二次電圧を整流する二次整流器を、二次コイルと少なくとも１つのバッテリーとの間に設けることもできる。
【００２１】
英数字キーボードは、マウスの前部を受け入れるためのサイズ及び形状を有するくぼみを側壁に有することができる。くぼみは、壁を有することができる。一次コイルは、この壁に隣接していることができる。二次コイルは、マウスの前部の中に位置させることができる。くぼみは、マウスを置いておくことのできる棚を有することができる。
【００２２】
英数字キーボードの壁が側壁であり、マウスがマウス壁を有し、マウス壁が側壁と接触することができ、二次コイルがマウス壁に隣接している、ことができる。
【００２３】
これに代えて、壁が英数字キーボードの上面であり、上面にドッキングステーションが設けられており、一次コイルがドッキングステーションの下に位置しており、二次コイルがマウスの底面の上に位置している、ことができる。
【００２４】
本発明を完全に理解して実施することができるように、本発明を限定することのない一例としての好ましい実施形態について、添付の実例としての図面を参照しながら以下に説明する。
【詳細な説明】
【００２５】
最初に、図１、図２、及び図３を参照し、モニター１０と、ホストＰＣ  １２と、キーボード１４とを含んでいるコンピュータシステムを示してある。図においては、キーボード１４は、ケーブル１６によってホストＰＣ  １２に接続されている。これに代えて、無線接続を使用することができる。無線接続は、例えばＢｌｕｅｔｏｏｔｈ、或いはその他の無線周波数システム又は赤外線システムなど、任意の適切なシステムによるものとすることができる。
【００２６】
キーボード１４は、内蔵スピーカー１８を有することができる。ケーブル１６は、その一端がキーボード１４に接続されており、他方の端部に少なくとも１つのデジタルデータコネクタ２０を有する。コネクタ２０は１つのみであることが好ましい。コネクタ２０は、ＵＳＢコネクタ又はＩＥＥＥ  １３９４コネクタ、又はその他の適切なデジタルデータ伝送コネクタとすることができる。以下の説明においては、便宜上、単一のＵＳＢコネクタが使用されているものとする。
【００２７】
図２に示したように、キーボード１４は、周辺装置がホスト１２と通信することができるようにする内蔵無線受信器２２など、複数の内蔵の機能構成要素を有する。周辺装置は、無線マウス２３とすることができる。この方法においては、個別の無線ハブをホスト１２に接続する必要がなく、キーボード１４が無線ハブとしての役割を果たす。また、これにより、コンピュータシステムから１本のケーブルがなくなり、ユーザのデスクをすっきりさせるうえで役立つ。受信器２２は、望ましいか又は必要である場合、送信器を兼ねることができる。
【００２８】
これに代えて、又はこれに加えて、キーボード１４は、内蔵カードリーダー２４を有することができる。カードリーダー２４のスロット領域は、図３に示したものとすることができ、データの伝送及び記憶、マルチメディアファイルの再生、マルチメディアデータの伝送及び記憶、又はその他を目的として、ホスト１２と連携して不揮発性メモリを使用できるようにする。メモリデバイスとしては、例えば、Ｓｅｃｕｒｅ  Ｄｉｇｉｔａｌメモリスティック、ＭｕｌｔｉＭｅｄｉａカード、Ｃｏｍｐａｃｔ  Ｆｌａｓｈカード、Ｍｅｍｏｒｙ  Ｓｔｉｃｋ、ＩＢＭ社から市販されているＭｉｃｒｏｄｒｉｖｅ、ＳｍａｒｔＭｅｄｉａメモリカードが挙げられ、ただしこれらに限定されない。カードリーダー２４は、様々な形式のメモリデバイスを受け入れるために複数のスロットを有することができる。例えば、スロット３１がＳｍａｒｔＭｅｄｉａメモリカード用であり、スロット３２がＣｏｍｐａｃｔ  Ｆｌａｓｈカード又はＭｉｃｒｏｄｒｉｖｅ用であり、スロット３３がＭｅｍｏｒｙ  Ｓｔｉｃｋ用であり、スロット３４がＳｅｃｕｒｅ  Ｄｉｇｉｔａｌメモリカード及びＭｕｌｔｉＭｅｄｉａカード用とすることができる。
【００２９】
これに代えて、又はこれに加えて、カードリーダー２４は、無線周波数カードリーダーとする、又は無線周波数カードリーダーを含んでいることができ、これにより、カードをカードリーダー２４に近づけるだけでデータを伝送することができる。このことは、オンラインペイメント、セキュリティアクセス、セキュリティクリアランス、パスワード確認、ＩＤ確認、その他を目的として、スマートカード（ただしこれに限定されない）（例えば、キャッシュカード、メンバーズカード、ＩＤカード、セキュリティパス、その他）などの無線周波数カードをホスト１２と連携して使用する場合に関連する。
【００３０】
カードリーダー２４及び無線受信器２２の電力は、デジタルデータコネクタ２０を通じて利用可能な電力接続から得ることができる。また、カードリーダー２４とホスト１２との間、及び、受信器２２とホスト１２との間のデータ伝送も、デジタルタコネクタ２０を通じて行うことができる。この方法においては、カードリーダー２４及び無線受信器２２は、外部電源を必要としない。この方法においては、ホストコンピュータ１２の多数の基本的な機能用にキーボード１４を使用することができ、これによってキーボード１４の用途を広げることができる。このことは、ケーブルの散乱を軽減する役割も果たす。
【００３１】
無線マウス２３用のドッキングステーション４０を設けることもできる。ドッキングステーション４０は、キーボード１４の上壁に設けることができる。
【００３２】
図に示したように、キーボード１４は、１つ以上の内蔵マイクロフォン２８を有することもでき、内蔵マイクロフォン２８の動作は、図５及び図６に示してある。マイクロフォン２８は、キーボード１４の上壁に位置していることが好ましい。しかしながら、１つ以上のマイクロフォンをキーボード１４の側壁に位置させることができる。
【００３３】
スイッチ３０は、マイクロフォン２８の動作を制御する目的で設けられている。スイッチ３０は、物理的なスイッチであることが好ましく、なぜなら、ソフトウェアスイッチが使用されている場合、遠隔地からスイッチにアクセスしてマイクロフォン２８を動作させることができるためである。これによって、キーボード１４が置かれている部屋の中の会話を遠隔の人が記録することができる。このことは、セキュリティの侵害或いはプライバシーの侵害となることがある。スイッチ３０は、スイッチ３０の動作モードを示すＬＥＤディスプレイを有することができる。スイッチ３０は、キーボード１４の上壁に位置していることが好ましいが、望ましいか又は必要である場合、側壁に位置していることもできる。
【００３４】
英数字キーが押されると（１００）、スイッチ３０のポジションを調べる（１０２）。スイッチ３０は、ＯＮ、ＯＦＦ、及びＡＵＴＯという３つのポジションを有することが好ましい。ＯＦＦは、すべてのマイクロフォン２８を使用不能にする（１０２）。ＯＮは、すべてのマイクロフォン２８を使用可能にし（１０４）、マイクロフォンは、スイッチ３０が変更されるまで（１０６）使用可能な状態のままである。スイッチ３０がＯＦＦに動かされると（１０８）、マイクロフォン２８の動作が終了する（１１６）。スイッチ３０がＡＵＴＯに動かされると（１１２）、マイクロフォンは自動モードに移行する（１１４）。しかしながら、望ましいか又は必要である場合、スイッチ３０は２つのみのポジションを有することができる。これらはＯＦＦポジションと、上述し後からも説明するＡＵＴＯポジションにそのまま対応するＯＮポジションとすることができる。
【００３５】
図６に示したように、スイッチ３０と、マイクロフォン２８からの入力とに応答してマイクロフォン２８の動作を制御するプロセッサ３５が設けられている。プロセッサ３５は、ホスト１２の中に配置するか、又はこれに代えて、キーボード１４の中に配置することができる。プロセッサ３５は、マイクロフォン２８からの音声信号を、少なくとも１本の音声ライン３７を通じて音声システム３６に渡す。プロセッサ３５はタイマー３９を有し、このタイマーは、プロセッサ３５に一体化するか、又は個別とすることができる。また、バッファ３８も設けることができ、このバッファは、プロセッサ３５に一体化するか、又は個別とすることができる。バッファ３８は、たとえプロセッサ３５がホスト１２の中に位置している場合にも、キーボード１４の中に位置していることが好ましい。
【００３６】
マイクロフォン２８の出力は、アナログ音声である。デジタル環境において処理できるようにするためには、アナログ音声は、以下のいずれかの処理を行う必要がある。
（ｉ）キーボード１４の中のアナログ−デジタルコンバータを使用してデジタル音声に変換した後、デジタルデータ接続部を通じてホスト１２の中のサウンドカードに送信する。次いで、それをデジタルデータ接続部を通じてキーボード１４に送り返すことができる。
（ｉｉ）キーボード１４の中でデジタル音声に変換して処理することができるように、キーボード１４の中の１つ以上の個別のプロセッサにおいて処理する。この処理は、弊社の同時係属中の米国特許出願「デジタルオーディオ機能を有するキーボード（Ｋｅｙｂｏａｒｄ  Ｗｉｔｈ  Ｄｉｇｉｔａｌ  Ａｕｄｉｏ）」（出願日：２００３年５月２３日）に開示されているシステムによって行うことができ、この文書の内容は、本文書に参考とすることにより組み込まれている。
【００３７】
図５において、スイッチ３０がＡＵＴＯであるとき、マイクロフォン２８は、キーボード１４のキーが押されるまで（１００）使用可能である（１１８）。キーが押された時点で、キーボードドライバ６５が、キーが押された結果としてのスキャンコードを生成し、プロセッサ３５がこのスキャンコードを検出する。プロセッサ３５は、バッファ３８の内容をクリアし、音声ライン３７をミュートする（１２０）、又はこれに代えて、音声ライン３７をオフにする。バッファ３８は、キーが押されるときの音が望ましい音声入力として処理されることを防ぐ目的で、マイクロフォン２８からの信号の処理を遅延させることを可能にする。タイマー３９が起動し（１２２）、所定の遅延の後（１２４）、キーボード１２のキーがさらに押されていない限りは、ライン３７に対するミュート機能を無効にすることによって（１２６）マイクロフォンを使用可能にする。キーボード１２のキーがさらに押されていた場合、タイマー３９が０にリセットされ、再び起動する（１２２）。所定の遅延中にキーが押されなくなるまでこれを継続し、所定の遅延中にキーが押されなければ、ミュート機能を無効にすることによってマイクロフォン２８を使用可能にする（１２６）。
【００３８】
これに加えて、又はこれに代えて、キーが押された時点で、キーが押されたノイズをマイクロフォン２８を使用して検出し、信号をプロセッサ３５に渡すことができる。プロセスは上述したように進行する。
【００３９】
所定の遅延は、事前に設定しておくか、又は、ユーザ入力によって設定することができる。この遅延は、１秒、２秒、３秒、４秒、５秒、又は１０秒などの適切な時間長とする必要がある。バッファ３８によって、１秒未満、好ましくは５０〜５００ミリ秒のオーダーの時間遅延が導入される。
【００４０】
任意の時刻にスイッチ３０が異なるポジションに動かされると、スイッチが動かされたかを検出する（１２８）。ＹＥＳであり、スイッチがＯＦＦポジションにある場合（１３０）、音声システムへのマイクロフォンの入力を使用不能にする（１３２）。スイッチがＯＮポジションに動かされた場合（１３４）、システムはＯＮモードに戻る（１３６，１０４）。
【００４１】
マイクロフォン２８を連続的に使用する場合、ＯＮモードがより適している。このことは、例えば、ボイス−テキストワード処理（ｖｏｉｃｅ−ｔｏ−ｔｅｘｔ  ｗｏｒｄ  ｐｒｏｃｅｓｓｉｎｇ）、ＶｏＩＰなどのインターネット電話、又はボイスレコーディングを使用するときに該当する。音声入力とキーボード機能の両方が使用される機能の場合には、ＡＵＴＯモードがより適している。この方式においては、マイクロフォン２８は、キーボード１４の英数字キーが使用されたことを検出せず、従って、音声システム３６は、キーのサウンドの記録、再生、伝送又はそれ以外の方法での伝播を行わない。
【００４２】
複数のマイクロフォン２８を有することによって、例えば、Ｉｎｆｉｎｉｏｒ  ＭｉｃｒｏＳｙｓｔｅｍｓ社（韓国、ソウル）から市販されている「Ａｄａｐｔｉｖｅ  Ｅｃｈｏ  Ｃａｎｃｅｌｌｅｒ」や、日本のＮＥＣ社から市販されている「Ａｃｏｕｓｔｉｃ  Ｅｃｈｏ  Ｃａｎｃｅｌｌｅｒ」などのエコーキャンセル機能を使用することが可能である。なお、これらのシステムは、いずれも単一のマイクロフォン及びスピーカー用であり、マイクロフォンとスピーカーのペアごとに個別のシステムを用意する必要がある。
【００４３】
次に、図７〜図１１について説明する。これらの図には、無線マウス２３のバッテリーを非接触誘導充電によって充電する装置など、キーボード１４の一部を示してある。
【００４４】
キーボード１４は、壁６０２を有する。この壁は、前壁、側壁、又は後壁とすることができる。壁６０２のすぐ隣に一次コイル６０４が配置されている。一次コイル６０４は、デジタルデータコネクタ２０から電力を受け取る。デジタルデータコネクタがＵＳＢコネクタである場合、電力は５Ｖ  ＤＣである。この電力はＤＣ−ＡＣインバータ６０６を使用してＡＣに変換され、交流電力が一次コイル６０４に印加される。
【００４５】
無線マウス２３を一次コイル６０４に近づけると、マウス２３の中の二次コイル６０８が、一次コイル６０４によって発生する磁界の中に入る。これにより、二次コイル６０８に渦電流が発生する。渦電流により、二次コイル６０８の両端にＡＣ電圧が発生する。発生したＡＣ電圧をＡＤ−ＤＣ整流器６１０において整流し、その電流を使用してマウス２３の中のバッテリー６１２を充電する。整流器６１０は、バッテリー充電回路（図示していない）を有することもできる。バッテリー充電回路は、望ましい場合には個別の構成要素とすることができる。
【００４６】
一次コイル６０４は、コア６１４を有することができ、コアは、中空とすることができ、望ましいか又は必要である場合、フェライトコア６１６を有することができる。
【００４７】
一次コイル６０４は、表面密結合充電を目的として、壁６０２に平行に配置する（図７）、又は、表面密結合充電を目的として、壁６０２から突き出さずに壁６０２に垂直に配置する（図８）、又は、表面連結充電を目的として、壁６０２に垂直であり、フェライト棒６１６が壁６０２から突き出すように配置する（図９）、又は、表面密結合充電を目的として、二次コイル６０８の領域におけるマウス２３の形状に対応する形状を持つ、壁６０２の凹状くぼみ６１８、の付近又はすぐ隣に配置することができる（図１０）。
【００４８】
二次コイル６０８は、マウス２３の壁６２２に垂直であるように配置されている中空のコア６２０を有することが好ましい。
【００４９】
二次コイル６０８の両端に発生させることのできる最大電圧は、一次コイル６０４と二次コイル６０８の巻き数の比と、一次コイル６０４に印加される電圧とによって決まる。例えば、一次コイル６０４の両端の電圧が２０Ｖ  ＡＣである場合、二次コイル６０８の両端に発生する電圧は、３．５Ｖ  ＡＣのオーダーとすることができる。これを３．５Ｖ  ＤＣに整流し、バッテリー６１２をゆっくりと充電する。二次コイル６０８の電圧は、３〜４Ｖ  ＡＣの範囲内であることが好ましい。二次コイル６０８の両端に発生する電圧は、バッテリー６１２を充電するのに必要な電圧とする必要がある。
【００５０】
ＡＣ電圧の周波数は高いことが好ましく、人間の通常の可聴範囲より高いことが好ましい。例えば、周波数は、２０〜２５ＫＨｚとすることができ、２２ＫＨｚであることが好ましい。これにより、変圧器に起因する、耳に聞こえる通常のハムが排除される。
【００５１】
二次コイル６０８における渦電流の発生効率は、二次コイル６０８と一次コイル６０４の相対的な位置に従って変化する。図７の渦電流は発生効率が相対的に低いのに対し、図８の渦電流は効率が相対的に高い。効率は、５％もの低さから最大約２０％まで変化する。
【００５２】
図１２〜図１８は、図７〜図１１の実施形態の２つの変形形態を示している。図１２及び図１３においては、マウス２３はドッキングステーション４０と一緒に使用される。マウス２３は、その底面６２６にくぼみ６２４を有することができ、二次コイル６０８は、くぼみ６２４の周りに巻かれているか、すぐ横に（ただし好ましくは同軸に）位置していることができる。くぼみ６２４は、それが望ましい場合、次第に狭まる入口６２８を有することができる。ドッキングステーションは、一次コイル６０４のフェライト棒６１６を有し、このフェライト棒６１６は、ドッキングステーション４０から突き出しており、くぼみ６２４に係合する。
【００５３】
図１６〜図１８の場合、一次コイル６０４は、ドッキングステーション４０の面の下に位置している。従って、二次コイル６０８は、マウス２３の底面６２６の上に位置している。
【００５４】
図１９〜図２１は、図７〜図１０の変形形態であり、一次コイル６０４が壁６０２（この場合にはキーボード１４の側壁）のすぐ隣に位置している。二次コイル６０８は、マウス２３の側面６３０に隣接している。
【００５５】
図２２〜図２４は、図１２〜図１４のマウス２３と、キーボード１４のドッキングステーション４０とを示しており、ロッド６１６がくぼみ６２４に係合する。
【００５６】
図２５〜図２７は、図１６及び図１７のマウス２３と図２のキーボードとを示している。この場合、ドッキングステーション４０は、キーボード１４のくぼみに配置されている。コイル６０４，６０８は、前述したように動作する。
【００５７】
図２８〜図３０は、図１９及び図２０のマウス２３と、図２のキーボード１４とを示している。この場合、一次コイル６０４はキーボード１４の側面６３２に位置しており、二次コイル６０８はマウス２３の側面６３０に位置している。２つのコイルを近接関係に置くことによって、充電を行うことができる。この場合の近接関係は、一次コイル６０４と二次コイル６０８とが重なることなく、二次コイル６０８の端部が一次コイル６０４の端部の隣に位置するように隔置されている状態が好ましい。
【００５８】
図３１〜図３３は、マウス２３の代替形態と、図２のキーボード１４の変形形態とを示している。この場合、二次コイル６０８は、マウス２３のスクロールホイール６３４と前部６３６との間に位置している。一次コイル６０４は、キーボード１４の側面６３２におけるくぼみ６３８の前面及び上面６４０に位置しており、くぼみ６３８は、マウス２３の前部６４４を受け入れるためのサイズ及び形状を持つ。マウス２３の前部がくぼみ６３８に完全に挿入されると、二次コイル６０８と一次コイル６０４とが隣り合う関係になり、充電を行うことができる。図３４〜図３７は、図３１〜図３３のマウス２３と、図３１〜図３３のキーボード１４の変形形態とを示している。唯一の違いは、壁６３２におけるくぼみ６３８の位置が高くなっており、これにより、バッテリーを充電している間、或いは輸送時にマウス２３を置いておくことのできる小さな棚６４２を追加することができる。これによって、一次コイル６０４をくぼみ６３８の周りに巻くことができ、従って、大型の二次コイル６０８をマウス２３の前部６４４に配置することができる。
【００５９】
その他のすべての点において、マウス２３のバッテリー６１２を充電するための装置及び動作は同じである。
【００６０】
ここまで、本発明の好ましい実施形態について説明したが、設計、構造、又は動作の詳細において、本発明から逸脱することなく多数の変形形態又は変更形態を創案できることが、当業者には理解されるであろう。
【図面の簡単な説明】
【００６１】
【図１】図１は、本発明の第１の態様によるキーボードが組み込まれているコンピュータシステムの図である。
【図２】図１のキーボードの上面図である。
【図３】図１及び図２のキーボードの正面図である。
【図４】図３のカードリーダーのスロット領域の図である。
【図５】マイクロフォンの動作のフローチャートである。
【図６】
【図７】図２の矢印６−６の線に沿って切断したときの、さらなる実施形態の部分断面図である。
【図８】さらなる実施形態の第２の形態の、図６に対応する図である。
【図９】さらなる実施形態の第３の形態の、図６に対応する図である。
【図１０】さらなる実施形態の第４の形態の、図６に対応する図である。
【図１１】さらなる実施形態の構成要素のブロック図である。
【図１２】図１の無線マウスの上面図である。
【図１３】図１２の矢印Ｃ−Ｃの線に沿って切断したときの１つの実施形態の断面図である。
【図１４】図１３の実施形態の部分底面図である。
【図１５】図２の矢印Ａ−Ａの線に沿って切断したときの１つの実施形態の部分断面図である。
【図１６】図１２の矢印Ｃ−Ｃの線に沿って切断したときの第２の実施形態の断面図である。
【図１７】図１６の実施形態の部分底面図である。
【図１８】図２の矢印Ａ−Ａの線に沿って切断したときの第２の実施形態の断面図である。
【図１９】図１の無線マウスの第２の実施形態の上面図である。
【図２０】図１９の矢印Ｅ−Ｅの線に沿って切断したときの断面図である。
【図２１】図２の矢印Ｂ−Ｂの線に沿って切断したときの断面図である。
【図２２】図１２〜図１４のマウスと図２のキーボードとを示している部分斜視図である。
【図２３】キーボードにマウスを係合させる前の、図２２のマウス及びキーボードの部分側面図である。
【図２４】キーボードにマウスを係合させた後の、図２２に対応する部分斜視図である。
【図２５】図１６及び図１７のマウスと図２のキーボードとを示している部分斜視図である。
【図２６】キーボードにマウスさせた後の、図２５のマウス及びキーボードの部分上面図である。
【図２７】キーボードにマウスを係合させた後の、図２５に対応する部分斜視図である。
【図２８】図１９及び図２０のマウスと図２のキーボードとを示している部分斜視図である。
【図２９】キーボードにマウスを係合させる前の、図２８のマウスの部分側面図である。
【図３０】キーボードにマウスを係合させた後の、図２８に対応する部分斜視図である。
【図３１】マウスの代替形態と図２のキーボードの変形形態とを示している部分斜視図である。
【図３２】キーボードにマウスを係合させた後の、図３１のマウス及びキーボードの部分側面図である。
【図３３】キーボードにマウスを係合させた後の、図３１に対応する部分斜視図である。
【図３４】マウスのさらなる代替形態と図２のキーボードのさらなる変形形態とを示している部分斜視図である。
【図３５】キーボードにマウスを係合させた後の、図３４のマウスの部分斜視図である。
【図３６】キーボードにマウスを係合させた後の、図３４に対応する部分側断面図である。
【図３７】キーボードにマウスを係合させた後の、図３４の一部を透かした部分斜視図である。
【図１】
2007534033.tif 000003
【図２】
2007534033.tif 000004
【図３】
2007534033.tif 000005
【図４】
2007534033.tif 000006
【図５】
2007534033.tif 000007
【図６】
2007534033.tif 000008
【図７】
2007534033.tif 000009
【図８】
2007534033.tif 000010
【図９】
2007534033.tif 000011
【図１０】
2007534033.tif 000012
【図１１】
2007534033.tif 000013
【図１２】
2007534033.tif 000014
【図１３】
2007534033.tif 000015
【図１４】
2007534033.tif 000016
【図１５】
2007534033.tif 000017
【図１６】
2007534033.tif 000018
【図１７】
2007534033.tif 000019
【図１８】
2007534033.tif 000020
【図１９】
2007534033.tif 000021
【図２０】
2007534033.tif 000022
【図２１】
2007534033.tif 000023
【図２２】
2007534033.tif 000024
【図２３】
2007534033.tif 000025
【図２４】
2007534033.tif 000026
【図２５】
2007534033.tif 000027
【図２６】
2007534033.tif 000028
【図２７】
2007534033.tif 000029
【図２８】
2007534033.tif 000030
【図２９】
2007534033.tif 000031
【図３０】
2007534033.tif 000032
【図３１】
2007534033.tif 000033
【図３２】
2007534033.tif 000034
【図３３】
2007534033.tif 000035
【図３４】
2007534033.tif 000036
【図３５】
2007534033.tif 000037
【図３６】
2007534033.tif 000038
【図３７】
2007534033.tif 000039
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
（ａ）複数の壁と、
（ｂ）ホストコンピュータに接続するためのデジタルデータコネクタと、
（ｃ）周辺装置からの無線通信を受信する内蔵の無線データ受信器であって、前記デジタルデータコネクタを使用して前記ホストコンピュータと通信することができ、且つ、前記デジタルデータコネクタを使用して前記ホストコンピュータから電力の供給を受けることができる、前記内蔵の無線データ受信器と、
を備えている英数字キーボードであって、
（ｄ）前記複数の壁の１つが、無線マウス用のドッキングステーションを備えており、
（ｅ）前記ドッキングステーションが、非接触誘導充電器の一次コイルを備えており、前記一次コイルが、前記デジタルデータコネクタによって電力の供給を受けることができ、
（ｆ）前記周辺装置が、前記充電器の二次コイルを備えている無線マウスを備えており、前記充電器が、前記無線マウスの中の少なくとも１つの充電可能なバッテリーを充電する、英数字キーボード。
【請求項２】
前記デジタルデータコネクタが、ＵＳＢコネクタとＩＥＥＥ  １３９４コネクタとから成る群から選択される、請求項１に記載の英数字キーボード。
【請求項３】
（ａ）少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、
をさらに備えており、
（ｂ）前記内蔵の機能構成要素が、前記デジタルデータコネクタを使用して前記ホストコンピュータから電力の供給を受けることができ、前記外部構成要素が、前記ホストと前記英数字キーボードのいずれからも外部である、請求項１に記載の英数字キーボード。
【請求項４】
前記内蔵の機能構成要素が、カードリーダー、無線データ受信器及び音声回路のうちの少なくとも１つである、請求項１に記載の英数字キーボード。
【請求項５】
前記カードリーダーが、
データの伝送、データの記憶、マルチメディアファイルの再生、マルチメディアデータの伝送、マルチメディアデータの記憶、のうちの少なくとも１つを目的として、前記ホストコンピュータと連携して使用する不揮発性メモリデバイス用である、請求項４に記載の英数字キーボード。
【請求項６】
前記不揮発性メモリデバイスが、Ｆｌａｓｈメモリカード、Ｓｅｃｕｒｅ  Ｄｉｇｉｔａｌメモリカード、ＭｕｌｔｉＭｅｄｉａカード、Ｃｏｍｐａｃｔ  Ｆｌａｓｈカード、Ｍｅｍｏｒｙ  Ｓｔｉｃｋ、Ｍｅｍｏｒｙ  Ｓｔｉｃｋ  Ｐｒｏ、Ｍｉｃｒｏｄｒｉｖｅ、ＳｍａｒｔＭｅｄｉａメモリカードから成る群から選択される、請求項５に記載の英数字キーボード。
【請求項７】
前記カードリーダーが無線周波数カードリーダーから成る、請求項５に記載の英数字キーボード。
【請求項８】
複数の英数字キーと、自動モードにおいて動作することができる少なくとも１つの内蔵マイクロフォンとを有する英数字キーボードであって、
前記自動モードにおいては、前記複数の英数字キーの少なくとも１つが作動された時点で、前記少なくとも１つのマイクロフォンが所定の期間だけミュートされ、前記所定の期間がタイマーによって制御される、英数字キーボード。
【請求項９】
間隔をあけて配置されている複数のマイクロフォンが前記英数字キーボードに存在している、請求項８に記載の英数字キーボード。
【請求項１０】
前記英数字キーの前記少なくとも１つが作動される結果としてのスキャンコードを生成するキーボードドライバが設けられており、前記スキャンコードが、プロセッサが前記少なくとも１つのマイクロフォンからの音声ラインをミュートすることができるように、前記プロセッサによって検出可能であり、前記所定の期間の終了時に、前記プロセッサが、前記音声ラインの前記ミュートを無効にすることによって前記少なくとも１つのマイクロフォンを使用可能にする、請求項８に記載の英数字キーボード。
【請求項１１】
前記所定の期間内に前記英数字キーの少なくとも１つがさらに作動される結果としてのさらなるスキャンコードを前記プロセッサが検出した時点で、前記タイマーが前記所定の期間をリセットする、請求項１０に記載の英数字キーボード。
【請求項１２】
前記少なくとも１つの内蔵のマイクロフォンが、前記英数字キーの前記少なくとも１つが作動されたことを検出して音声構成要素をミュートし、前記所定の期間の終了時に、前記ミュート機能を無効にすることによって前記少なくとも１つのマイクロフォンが使用可能になる、請求項１８に記載の英数字キーボード。
【請求項１３】
前記音声構成要素が、音声ライン、デジタル増幅器、アナログ音声構成要素、デジタル音声構成要素から成る群から選択される、請求項１２に記載の英数字キーボード。
【請求項１４】
キーが押されるときの音が望ましい音声入力として処理されることを防止するために信号の処理を遅延させることを目的とするバッファを有する、請求項１２に記載の英数字キーボード。
【請求項１５】
キーが押されるときの音が検出された時点で、前記バッファの内容がクリアされてミュートが行われる、請求項１４に記載の英数字キーボード。
【請求項１６】
前記所定の期間が１０ミリ秒〜１０秒の範囲内である、請求項８に記載の英数字キーボード。
【請求項１７】
前記少なくとも１つのマイクロフォンが、前記所定の期間内に前記英数字キーの少なくとも１つがさらに作動されたことを検出した時点で、前記タイマーが前記所定の期間をリセットする、請求項１２に記載の英数字キーボード。
【請求項１８】
エコーキャンセラーと、前記少なくとも１つのマイクロフォンの動作を制御するスイッチとから成る群から選択された少なくとも一つをさらに備えている、請求項８に記載の英数字キーボード。
【請求項１９】
前記スイッチが、物理的なスイッチであり、且つ、前記スイッチの動作モードを示すＬＥＤディスプレイを有する、請求項１８に記載の英数字キーボード。
【請求項２０】
ホストコンピュータに接続するためのデジタルデータコネクタをさらに含んでいる、請求項８に記載の英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、前記内蔵の機能構成要素が、前記デジタルデータコネクタを使用して前記ホストコンピュータから電力の供給を受けることができる、英数字キーボード。
【請求項２１】
前記少なくとも１つの内蔵の機能構成要素が、カードリーダー、無線データ受信器、充電器の一次コイルから成る群から選択される、請求項２０に記載の英数字キーボード。
【請求項２２】
受け取った直流電力を自身に供給するためのデジタルデータコネクタを有する英数字キーボードであって、
前記受け取った直流電力を一次周波数の一次交流電力に変換するインバータと、
前記キーボードの壁のすぐ横に位置している一次コイルであり、前記一次交流電力が自身に印加されるようにされている、前記一次コイルと、
を備えており、
前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【請求項２３】
前記一次コイル及び前記二次コイルの少なくとも一方が中空コアを有する、請求項２２に記載の英数字キーボード。
【請求項２４】
前記一次コイルが前記中空コアの中にフェライト棒を有する、請求項２２に記載の英数字キーボード。
【請求項２５】
前記一次コイルが前記壁に垂直であり、表面連結充電を目的として、前記フェライト棒が前記壁から突き出している、請求項２４に記載の英数字キーボード。
【請求項２６】
前記一次コイルが、表面密結合充電を目的として、前記壁に平行であり、前記二次コイルが、前記一次コイルの端部の隣に位置している端部を有し、前記一次コイルと前記二次コイルとが重なっていない、請求項２２に記載の英数字キーボード。
【請求項２７】
前記一次周波数が可聴範囲より高い、請求項２２に記載の英数字キーボード。
【請求項２８】
前記一次周波数が２０ＫＨｚ〜２５ＫＨｚの範囲内である、請求項２７に記載の英数字キーボード。
【請求項２９】
前記二次電圧が、充電することができるように直流に変換される、請求項２２に記載の英数字キーボード。
【請求項３０】
前記マウスの前部を受け入れるためのサイズ及び形状を有するくぼみを側壁に有する、請求項２２に記載の英数字キーボードであって、
前記くぼみが壁を有し、前記一次コイルが前記壁に隣接しており、前記二次コイルが前記マウスの前記前部の中に位置している、英数字キーボード。
【請求項３１】
前記くぼみが、前記マウスを置いておくことのできる棚を有する、請求項３０に記載の英数字キーボード。
【請求項３２】
前記英数字キーボードの前記壁が側壁であり、前記マウスがマウス壁を有し、前記マウス壁が前記側壁と接触することができ、前記二次コイルが前記マウス壁に隣接している、請求項２２に記載の英数字キーボード。
【請求項３３】
前記壁が前記英数字キーボードの上面であり、前記上面にドッキングステーションが設けられており、前記一次コイルが前記ドッキングステーションの下に位置しており、前記二次コイルが前記マウスの底面の上に位置している、請求項２２に記載の英数字キーボード。
【請求項３４】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部であり、
前記英数字キーボードが、複数の英数字キーと、自動モードにおいて動作することができる少なくとも１つの内蔵マイクロフォンとをさらに有し、前記自動モードにおいては、前記複数の英数字キーの少なくとも１つが作動された時点で、前記少なくとも１つのマイクロフォンが所定の期間だけミュートされ、前記所定の期間がタイマーによって制御される、英数字キーボード。
【請求項３５】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部であり、
前記英数字キーボードが、
前記供給された電力を一次周波数の一次交流電力に変換するインバータと、
前記キーボードの壁のすぐ横に位置している一次コイルであり、前記一次交流電力が自身に印加されるようにされている、前記一次コイルと、
をさらに備えており、前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【請求項３６】
ホストコンピュータに接続するためのデジタルデータコネクタを有する英数字キーボードであって、
少なくとも１つの外部構成要素から受信されるデータを、前記少なくとも１つの外部構成要素と協働して前記デジタルタコネクタを使用して前記ホストコンピュータに伝達することを可能にする、少なくとも１つの内蔵の機能構成要素、を有し、
前記内蔵の機能構成要素が、前記デジタルデータコネクタを使用して前記ホストコンピュータから電力の供給を受けることができ、前記外部構成要素が、前記ホストと前記英数字キーボードのいずれからも外部であり、
前記英数字キーボードが、複数の英数字キーと、自動モードにおいて動作することができる少なくとも１つの内蔵マイクロフォンとをさらに備えており、前記自動モードにおいては、前記複数の英数字キーの少なくとも１つが作動された時点で、前記少なくとも１つのマイクロフォンが所定の期間だけミュートされ、前記所定の期間がタイマーによって制御され、
前記英数字キーボードが、
前記供給された電力を一次周波数の一次交流電力に変換するインバータと、
前記キーボードの壁のすぐ横に位置している一次コイルであり、前記一次交流電力が自身に印加されるようにされている、前記一次コイルと、
をさらに備えており、前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
（ａ）複数の壁と、
（ｂ）ホストコンピュータに接続するためのデジタルデータコネクタと、
（ｃ）周辺装置からの無線通信を受信する内蔵の無線データ受信器であって、前記デジタルデータコネクタを使用して前記ホストコンピュータと通信することができ、且つ、前記デジタルデータコネクタを使用して前記ホストコンピュータから電力の供給を受けることができる、前記内蔵の無線データ受信器と
を備えている英数字キーボードであって、
（ｄ）前記複数の壁の１つが、無線マウス用のドッキングステーションを備えており、
（ｅ）前記ドッキングステーションが、非接触誘導充電器の一次コイルを備えており、前記一次コイルが、前記デジタルデータコネクタによって電力の供給を受けることができ、
（ｆ）前記周辺装置が、前記充電器の二次コイルを備えている無線マウスを備えており、前記充電器が、前記無線マウスの中の少なくとも１つの充電可能なバッテリーを充電するためのものである、英数字キーボード。
【請求項２】
前記デジタルデータコネクタが、ＵＳＢコネクタとＩＥＥＥ  １３９４コネクタとから成る群から選択される、請求項１に記載の英数字キーボード。
【請求項３】
少なくとも１つの内蔵の機能構成要素が、カードリーダー、無線データ受信器及び音声回路から成る群から選択される、請求項１に記載の英数字キーボード。
【請求項４】
前記カードリーダーが、データの伝送、データの記憶、マルチメディアファイルの再生、マルチメディアデータの伝送及びマルチメディアデータの記憶のうちの少なくとも１つを目的として、前記ホストコンピュータと連携して使用される不揮発性メモリデバイス用である、請求項３に記載の英数字キーボード。
【請求項５】
前記不揮発性メモリデバイスが、Ｆｌａｓｈメモリカード、Ｓｅｃｕｒｅ  Ｄｉｇｉｔａｌメモリカード、ＭｕｌｔｉＭｅｄｉａカード、Ｃｏｍｐａｃｔ  Ｆｌａｓｈカード、Ｍｅｍｏｒｙ  Ｓｔｉｃｋ、Ｍｅｍｏｒｙ  Ｓｔｉｃｋ  Ｐｒｏ、Ｍｉｃｒｏｄｒｉｖｅ及びＳｍａｒｔＭｅｄｉａメモリカードから成る群から選択される、請求項４に記載の英数字キーボード。
【請求項６】
前記カードリーダーが無線周波数カードリーダーから成る、請求項５に記載の英数字キーボード。
【請求項７】
（ａ）少なくとも１つの外部構成要素から受信されるデータを、前記デジタルタコネクタを使用して前記ホストコンピュータに伝達することを可能にするよう、前記少なくとも１つの外部構成要素と協働する少なくとも１つの内蔵の機能構成要素
をさらに備えており、
（ｂ）前記内蔵の機能構成要素が、前記デジタルデータコネクタを使用して前記ホストコンピュータから電力の供給を受けることができ、前記外部構成要素が、前記ホストコンピュータと前記英数字キーボードのいずれに対しても外部にある、請求項１に記載の英数字キーボード。
【請求項８】
複数の英数字キーと、自動モードにおいて動作することができる少なくとも１つの内蔵マイクロフォンとを有する英数字キーボードであって、
前記複数の英数字キーの少なくとも１つが作動された時点で、前記少なくとも１つの内蔵マイクロフォンが、タイマーによって制御される所定の期間だけミュートされ、前記所定の期間がタイマーによって制御される、英数字キーボード。
【請求項９】
間隔をあけて配置されている複数のマイクロフォンが前記英数字キーボードに存在している、請求項８に記載の英数字キーボード。
【請求項１０】
前記英数字キーの前記少なくとも１つが作動される結果としてのスキャンコードを生成するキーボードドライバが設けられており、
前記スキャンコードが、プロセッサが前記少なくとも１つのマイクロフォンからの音声ラインをミュートすることができるように、前記プロセッサによって検出可能であり、
前記所定の期間の終了時に、前記プロセッサが、前記音声ラインの前記ミュートを無効にすることによって前記少なくとも１つのマイクロフォンを使用可能にする、請求項８に記載の英数字キーボード。
【請求項１１】
前記所定の期間内に前記英数字キーの少なくとも１つがさらに作動される結果としてのさらなるスキャンコードを前記プロセッサが検出した時点で、前記タイマーが前記所定の期間をリセットする、請求項１０に記載の英数字キーボード。
【請求項１２】
前記少なくとも１つの内蔵のマイクロフォンが、前記英数字キーの前記少なくとも１つが作動されたことを検出して音声構成要素をミュートし、前記所定の期間の終了時に、前記ミュート機能を無効にすることによって前記少なくとも１つのマイクロフォンが使用可能になる、請求項８に記載の英数字キーボード。
【請求項１３】
前記音声構成要素が、音声ライン、デジタル増幅器、アナログ音声構成要素及びデジタル音声構成要素から成る群から選択される、請求項１２に記載の英数字キーボード。
【請求項１４】
キーが押されるときの音が望ましい音声入力として処理されることを防止するために信号の処理を遅延させることを目的とするバッファを有する、請求項１２に記載の英数字キーボード。
【請求項１５】
キーが押されるときの音が検出された時点で、前記バッファの内容がクリアされてミュートが行われる、請求項１４に記載の英数字キーボード。
【請求項１６】
前記少なくとも１つのマイクロフォンが、前記所定の期間内に前記英数字キーの少なくとも１つがさらに作動されたことを検出した時点で、前記タイマーが前記所定の期間をリセットする、請求項１２に記載の英数字キーボード。
【請求項１７】
前記所定の期間が１０ミリ秒〜１０秒の範囲内である、請求項８に記載の英数字キーボード。
【請求項１８】
エコーキャンセラーをさらに備えている、請求項８に記載の英数字キーボード。
【請求項１９】
前記少なくとも１つのマイクロフォンの動作を制御するスイッチをさらに備えている、請求項８に記載の英数字キーボード。
【請求項２０】
前記スイッチが、物理的なスイッチであり、且つ、前記スイッチの動作モードを示すＬＥＤディスプレイを有する、請求項１９に記載の英数字キーボード。
【請求項２１】
ホストコンピュータに接続するためのデジタルデータコネクタをさらに含んでいる、請求項８に記載の英数字キーボードであって、
少なくとも１つの外部構成要素から受信されるデータを、前記デジタルタコネクタを使用して前記ホストコンピュータに伝達することを可能にするよう、前記少なくとも１つの外部構成要素と協働する少なくとも１つの内蔵の機能構成要素を有し、前記少なくとも１つの内蔵の機能構成要素が、前記デジタルデータコネクタを使用して前記ホストコンピュータから電力の供給を受けることができる、英数字キーボード。
【請求項２２】
前記少なくとも１つの内蔵の機能構成要素が、カードリーダー、無線データ受信器及び充電器の一次コイルから成る群から選択される、請求項２１に記載の英数字キーボード。
【請求項２３】
受け取った直流電力を自身に供給するためのデジタルデータコネクタを有する英数字キーボードであって、
前記受け取った直流電力を一次周波数の一次交流電力に変換するインバータと、
前記キーボードの壁のすぐ横に位置している一次コイルであり、前記一次交流電力が自身に印加されるようにされている、前記一次コイルと
を備えており、
前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【請求項２４】
前記一次コイルが中空コアを有する、請求項２３に記載の英数字キーボード。
【請求項２５】
前記一次コイルが前記中空コアの中にフェライト棒を有する、請求項２４に記載の英数字キーボード。
【請求項２６】
前記一次コイルが前記壁に垂直であり、表面連結充電を目的として、前記フェライト棒が前記壁から突き出している、請求項２５に記載の英数字キーボード。
【請求項２７】
前記二次コイルが中空コアを有する、請求項２３に記載の英数字キーボード。
【請求項２８】
前記一次コイルが、表面密結合充電を目的として、前記壁に平行であり、前記二次コイルが、前記一次コイルの端部の隣に位置している端部を有し、前記一次コイルと前記二次コイルとが重なっていない、請求項２３に記載の英数字キーボード。
【請求項２９】
前記一次周波数が可聴範囲より高い、請求項２３に記載の英数字キーボード。
【請求項３０】
前記一次周波数が２０ＫＨｚ〜２５ＫＨｚの範囲内である、請求項２９に記載の英数字キーボード。
【請求項３１】
前記二次電圧が、充電することができるように直流に変換される、請求項２３に記載の英数字キーボード。
【請求項３２】
前記マウスの前部を受け入れるためのサイズ及び形状を有するくぼみを側壁に有する、請求項２３に記載の英数字キーボードであって、
前記くぼみが壁を有し、前記一次コイルが前記壁に隣接しており、前記二次コイルが前記マウスの前記前部の中に位置している、英数字キーボード。
【請求項３３】
前記くぼみが、前記マウスを置いておくことのできる棚を有する、請求項３２に記載の英数字キーボード。
【請求項３４】
当該英数字キーボードの前記壁が側壁であり、前記マウスがマウス壁を有し、前記マウス壁が前記側壁と接触することができ、前記二次コイルが前記マウス壁に隣接している、請求項２３に記載の英数字キーボード。
【請求項３５】
前記壁が前記英数字キーボードの上面であり、前記上面にドッキングステーションが設けられており、前記一次コイルが前記ドッキングステーションの下に位置しており、前記二次コイルが前記マウスの底面の上に位置している、請求項２３に記載の英数字キーボード。
【国際調査報告】
2007534033.tif 000040
2007534033.tif 000041
2007534033.tif 000042